(57)【特許請求の範囲】
【請求項１】
少なくとも内面にポリオレフィン系樹脂がコートされ、上方開口縁に外向きカール部が形成された有底の紙カップ本体と、下端部に内向きカール部が形成された逆円錐台形状の筒状体とが一体的に組み合わされた断熱容器であって、前記筒状体の胴部の側壁に切り取り片が、切れ目線により全部が切り取り可能に形成され、前記切り取り片の裏面及び／又は前記切り取り片を切り取った後の窓を通して視認可能な前記紙カップ本体の胴部の側壁の位置に、くじ、点数、クイズの回答などの情報を隠し絵として付与していることを特徴とする隠し絵付き断熱容器。
【請求項２】
前記切り取り片の周辺の一縁部に切り欠きが形成されていることを特徴とする請求項１に記載の隠し絵付き断熱容器。
【請求項３】
前記切り取り片の周辺の一縁部に小折れ部が形成されていることを特徴とする請求項１に記載の隠し絵付き断熱容器。
【発明の詳細な説明】
【０００１】
【発明の属する技術分野】
本発明は、熱湯を注いで調理するインスタント食品、電子レンジ加熱調理食品に使用される胴部を二重にした紙製の断熱容器に関するものであり、さらに詳しくは、くじ、点数、クイズの回答などの情報をあらかじめ印刷しておき、消費者が使用後に視認できる隠し絵を付与した断熱容器に関するものである。
【０００２】
【従来の技術】
一般に、この種のカップ状をした断熱性容器としては、発泡ポリスチレンなどのプラスチック製のものが多用されていたが、これらは廃棄した場合に公害問題になることから、これに代わるものとして、例えば実開平４−４５２１２号公報に見られるように、胴部を二重にして断熱用の空隙を形成した紙製の断熱性容器が提案されている。
【０００３】
従来から、一般形状の紙カップにおいては、くじ、点数、クイズの回答などの情報をカップ胴部に隠し絵として印刷してその上から目隠し用の紙片やシールを貼着し、紙カップを使用後その紙片やシールを剥がすと、くじ、点数、クイズの回答などの情報を視認できるようにした紙カップはある。また、くじ、点数、クイズの回答などの情報としての隠し絵を紙カップの巻き締め部の内面に予め印刷しておき、この紙カップの飲料を飲んだ後に、巻き締め部を捲って内面に印刷してある、くじ、点数、クイズの回答などの情報を視認する販売促進用の籤付紙カップが、特開昭５６−６４９３５号公報、特開昭６０−２１７９５２号公報で提案されている。
【０００４】
【発明が解決しようとする課題】
しかしながら、胴部を二重にした紙製の断熱容器では、後者の方法は実際には使用することが難しい。また、前者の方法は使用することができるが、加工コストが高くなること、新規性に乏しく、飲料を購入した消費者の興味を十分に引きつけることができないという問題点がある。
【０００５】
本発明は、上記のような問題点を解決するためになされたものであり、その目的とするところは、胴部を二重にした紙製の断熱容器において、くじ、点数、クイズの回答などの情報を隠し絵として付与した隠し絵付き断熱性容器を提供することにある。
【０００６】
【課題を解決するための手段】
前記目的を達成するためになされた本発明の断熱容器は、少なくとも内面にポリオレフィン系樹脂がコートされ、上方開口縁に外向きカール部が形成された有底の紙カップ本体と、下端部に内向きカール部が形成された逆円錐台形状の筒状体とが一体的に組み合わされた断熱容器であって、前記筒状体の胴部の側壁に切り取り片が、切れ目線により全部が切り取り可能に形成され、前記切り取り片の裏面及び／又は前記切り取り片を切り取った後の窓を通して視認可能な前記紙カップ本体の胴部の側壁の位置に、くじ、点数、クイズの回答などの情報を隠し絵として付与していることを特徴とする隠し絵付き断熱容器であります。
【０００７】
また、前記切り取り片の周辺の一縁部に切り欠きが形成されていること、あるいは、前記切り取り片の周辺の一縁部に小折れ部が形成されていることを特徴としている。
【０００８】
本発明によれば、紙カップ本体と筒状体からなる胴部を二重にした紙製の断熱容器において、筒状体の側壁に切り取り片を設け、容器を使用した後に、その切り取り片をきりとることによって、切り取り片の裏面、あるいは紙カップ本体に隠し絵として印刷された、くじ、点数、クイズの回答などの情報を視認することができる隠し絵付き断熱性容器を提供することができる。
【０００９】
【発明の実施の形態】
本発明を図面を用いて、さらに詳しく説明する。各図の同一部位には同一符号を付与している。
【００１０】
図１は、本発明による隠し絵付き断熱容器の一実施例の構成を示す一部切り欠け平面図である。隠し絵付き断熱容器１は、逆円錐台形状の紙製の筒状体１０と筒状胴部の側壁２１の下部に底板２２を巻き締めし、上方開口縁に外向きカール部２３が形成され、側壁２１に外方向に突出する水平リブ２４と内方向に突出する水平リブ２５が形成された紙カップ本体２０とが組み合わされて、筒状体１０の側壁１１の内面と紙カップ本体２０の胴部の側壁２１の外面との間に断熱空間が形成される断熱容器である。そして、筒状体１０の側壁１１に切り取り片１３が設けられおり、その切り取り片１３を切り取ることにより、切り取り片１３の裏面に印刷された、あるいは、紙カップ本体２０の側壁２１に印刷された、くじ、点数、クイズの回答などの情報を視認することができるものである。本例では、筒状体１０の側壁１１に一ヶ所の切り取り片１３を設けているが、複数ヶ所に設けることもできる。
【００１１】
本発明による隠し絵付き断熱容器１の断熱空間の形成は、図１に示すように紙カップ本体２０の側壁２１に設けられた外方向に突出する水平リブ２４と筒状体１０の下部に形成された内向きカール１２によって実現されている。ただし、放置状態では、筒状体１０の側壁１１と紙カップ本体２０の側壁２１の外方向に突出する水平リブ２４は必ずしも当接している必要はない。また、水平リブ２４の主な役割は、紙カップ本体２０の側壁２１の補強にあり、内容量の少ない容器では必ずしも必要としない。また、水平リブ２５の役割は、注入される熱湯の適正量の目安を与えることである。本例では、筒状体１０の下端に内向きカール１２を形成し、紙カップ本体２０の側壁２１に水平リブ２４を設けているが、これらは必ずしも必要ではないが、紙カップ本体２０の側壁２１と筒状体１０の側壁１１との間に空間を設けることによって、断熱効果を高めると共に、切り取り片１３が切り取りやすくなるという効果もある。
【００１２】
図２は、本発明による隠し絵付き断熱容器１の筒状体のブランク展開図である。筒状体１０のブランク１０Ａは、図２に示すように、板紙を扇状に打ち抜いたものであってその左右両端部は胴貼り部Ｎ、下端部は内向きカール１２のカール成形部Ｃとなっている。カール成形部Ｃ以外の部分は、筒状体１０の側壁１１を形成する部分である。筒状体のブランク１０Ａは、その胴貼り部Ｎ同志が接着されて逆円錐台形状の筒状体１０が形成されるが、筒状体１０のブランク１０Ａには、切れ目線１４によって区画される切り取り片１３が打ち抜きで設けられている。この切り取り片１３の形状は、本例では円形としているが、他にも半円形、三角形、四角形、それらの変形などとすることができ、特に限定されるものではない。
【００１３】
図３および図４は、切り取り片１３のブランク１０Ａにおける拡大説明図である。図３−ａは切り取り片１３の一例を示すもので、切り取り片１３Ａは、筒状体のブランク１０Ａの側壁１１に切れ目線１４によって設けられている。また、切れ目線１４の途中には、繋ぎ部１６が形成されている。繋ぎ部１６は、筒状体のブランク１０Ａが筒状体１０に成形され、紙カップ本体２０に組み込まれ、さらに最後の切り取り片１３Ａの使用直前まで、切り取り片１３Ａを側壁１１に繋ぎ止めておくためのもので、切り取り片１３Ａの使用時に、僅かな指先の力で破壊される０．３〜１．０ｍｍ（板紙の厚みが０．２〜０．５ｍｍの場合）程度の幅を有することが好ましい。一般に、紙を引きちぎって切断する場合に、紙目と直行する引っ張り方向よりも、紙目方向の引っ張り力の方が力を必要とする。従って、この繋ぎ部１６が切れ目線１４の片側で複数個設けられる場合、それらの幅は、矢印で示す紙目の方向と平行に近くなるほど繋ぎ部１６の幅をより大きくして繋ぎ部１６の耐切断力を平均化しておくことが好ましい。
【００１４】
また、図３−ｂに示すように、切り取り片１３Ａの一縁部には切り欠き１７が形成されている。切り欠き１７は、切り取り片１３の形成時に、切り取り片１３Ａを切り取るための取っ掛かりとするもので、指先あるいは爪が入り込む程度の大きさであればよく、切り取り片１３Ａの一縁部にあることが好ましい。
【００１５】
さらに、図３−ｃに示すように、切り取り片１３Ａの一縁部に切り欠き１７を設ける代わりに小折れ線１８ａにより小折れ部１８を設けることができる。この小折れ部１８は、切り取り片１３Ａの下部が容易に折れ曲がり、それを摘まみ片として切り取り片１３Ａ全体を引き出せるようにしたものである。
【００１６】
以上の、小折れ線１８ａ、切れ目線１４、繋ぎ片１６、切り欠き１７の総ては、ブランク１０Ａの打ち抜き加工と同時に形成可能なものばかりであるので、これらの加工は、コスト上昇の要因にはならない。また、ブランク１０Ａの殆どの領域は、ブランク１０Ａの加工前に印刷されており、情報媒体として機能する部分であるが、切り取り片１３Ａの加工によって印刷効果、あるいは意匠効果が大きく妨げられることはない。
【００１７】
図４−ａは切り取り片１３の他の例を示すもので、切り取り片１３Ｂは、筒状体のブランク１０Ａの外周に切れ目線１４と折れ線１５によって区劃されており、その全周が切れ目線１４ではなく、一部に折れ線１５を設け、切り取り片１３Ｂを完全に切り取らずに折れ線１５によって外側に折り返しが可能となっているものである。
【００１８】
また、切り取り片１３Ａと同様に、図４−ｂに示すように、切り取り片１３Ｂの一縁部には切り欠き１７を、図４−ｃに示すように、切り取り片１３Ｂの一縁部に小折れ部１８を設けることができる。
【００１９】
以上の、折れ線１５、小折れ線１８ａ、切れ目線１４、繋ぎ片１６、切り欠き１７の総ては、ブランク１０Ａの打ち抜き加工と同時に形成可能なものばかりであるので、これらの加工は、コスト上昇の要因にはならない。
【００２０】
本発明による隠し絵付き断熱容器１を構成する紙カップ本体２０の材料としては、紙を基材層として少なくとも内面にポリオレフィン系樹脂を積層した積層体を使用している。紙としては主にカップ原紙を使用し、その坪量は、１５０〜４５０ｇ／ｍ2 程度である。そのカップ原紙の内面には、２０〜８０μｍの範囲で低密度ポリエチレン樹脂、中密度ポリエチレン樹脂、高密度ポリエチレン樹脂、線状低密度ポリエチレン樹脂等のポリオレフィン系樹脂層が押出しコートされて形成される。このポリオレフィン系樹脂層は、内容物の板紙への浸透防止、内容物保護適性の向上の他に、底部、カール部、胴貼り部におけるカップ成形性をよくし、蓋材（図示せず）のトップカール部におけるヒートシールによる封緘性をも良好にする効果をもたらしている。この紙カップ本体２０は、プラスチックを主材料とするプラスチックカップとすることもできる。
【００２１】
一方、筒状体１０の材料としては、坪量２００〜４５０ｇ／ｍ2 のカード系、コートボール系等の板紙を使用することができる。坪量が、この限度未満であると筒状体１０の剛性が低くなりすぎて、特に高熱時に撓みが大きくなりすぎて充分な断熱性を失い、またこの限度を越えると、剛性は高くなるが、内向きカール１２の加工適正が悪化し、材料コストも高くなるので好ましくない。
【００２２】
また、本発明による隠し絵付き断熱容器１では、内容物の食品が、チルド、冷凍状態で流通される場合には、耐水性を持たせておくことが好ましい。そのために、表面または／および裏面にポリエチレン樹脂、ポリプロピレン樹脂、ポリエチレンテレフタレート樹脂などを積層させることができる。また、製紙段階で耐水性を付与した耐水両面コートボールを使用してもよい。
【００２３】
つぎに、本発明による隠し絵付き断熱容器１の製造方法について説明する。まず、印刷層が表面あるいは中間に設けられた筒状体１０用の板紙を主とする積層体の表面には絵柄、表示などの印刷を、裏面、特に切り取り片１３の裏面には、くじ、点数、クイズの回答などの情報の隠し絵の印刷を行なう。つぎに、扇状に打ち抜くと共に、前述のように切り取り片１３の加工も同時に行い、筒状体１０のブランク１０Ａを作成する。
【００２４】
筒状体１０の表面および裏面、特に切り取り片１３の裏面には、ブランク１０Ａの打ち抜き前のフラットな状態での板紙にプレプリントが可能であるので、印刷の自由度は高く、オフセット、グラビア、フレキソ等の公知の印刷のみならず、各種オーバーコーティング、箔押し、エンボッシング等の印刷後加工も自由に施すことができる。なお、印刷後、前述のような切り取り片１３の加工が施されるが、この加工は、平面性を阻害するものではなく、印刷による美粧効果、くじ、点数、クイズの回答などの情報の機能はそのまま保たれる。
【００２５】
一方、カップ成形機によって、紙カップ本体２０用のブランク２０Ａ（図は省略）から逆円錐台形状の胴部２１を成形し、胴部２１の下部を底板２２で巻き締めして底部成形を行い、上部開放端部に外向きカール２３を成形し、ついで、胴部の所定のレベルに外あるいは内方向に突出する水平リブ２４、２５を成形して紙カップ本体２０を製造する。この紙カップ本体２０の胴部２１にも、特に筒状体１０の切り取り片１３を切り取った時に視認できる位置に、くじ、点数、クイズの回答などの情報の隠し絵の印刷を行なうこともできる。
【００２６】
外方向に突出するリブ２４の加工方法はカップ成形機インラインあるいはオフラインで行うことができる。すなわち成形済みの紙カップ本体２０を予め水平リブ２４相当部分が溝状に切削されているキャビティに嵌め込み、回転させながら、溝部においてカップ内側から回転ローラーをエキスパンダーで外側に向かって強く押し当てれば、外側に突出するリブを形成することができる。この場合、最後にキャビティから加工された紙カップ本体２０を引き抜かねばならないが、上側斜面がなだらかになっている水平リブ２４の方がシャープなものよりも引き抜き易く作業性の点で勝っている。また、リブ２４の形成は、雄雌型を使用した絞り加工によっても可能である。内方向に突出するリブ２５の加工は、成形済みの紙カップ本体を予めリブ２５相当部分が溝状に切削されているマンドレルに嵌め込み、回転させながら、溝部においてカップ外側から回転ローラーを内側に向かって強く押し当てれば、形成することができる。
【００２７】
一方において、筒状体のブランク１０Ａから逆円錐台形状の筒状体１０を成形し、その下部に内向きカール部１２を成形し、スタッキングしておく。最後に、この筒状体１０を成形された紙カップ本体２０に対して両者が互いに当接するいずれかの点で接着させながら挿着させれば、本発明による隠し絵付き断熱容器１が得られる。完成した本発明による隠し絵付き断熱容器１はスタッキングしてユーザーに供給が可能である。
【００２８】
図５は、本発明による隠し絵付き断熱容器１を実際に使用する時の状態を説明する平面図である。本発明による隠し絵付き断熱容器１の隠し絵としての、くじ、点数、クイズの回答などの情報を視認するために、まず、切り取り片１３を図３（ａ）に示す切り欠き１７に指先あるいは爪を差し込んで上方に持ち上げるか、図３（ｂ）に示す切り取り片１３の場合には、先ず切り取り片１３の小折れ部１８を小折れ線１８ａで折り返して摘まみ片を形成しておいてから、この摘まみ片を指で挟んで上方に持ち上げ、図５−ａに示すように、これを取っ掛かりとして切り取り片１３を切り取ることができる。切れ目線１４の一部に折れ線１５を設けている場合には、図５−ｂに示すように、完全に切り取らずに折れ線１５で折り返すことができる。本発明による隠し絵付き断熱容器１では、紙カップ本体２０の側壁２１と筒状体１０の側壁１１との間に空間が存在する場合、切り取り片１３を弱い力で、容易に起こすことができる。この切り取り片１３を切り取り、あるいは折り返すことによって、切り取り片１３の裏に印刷された、くじ、点数、クイズの回答などの情報を視認することができる。また、切り取り片１３を切り取った窓を通して紙カップ本体２０の胴部に印刷された、くじ、点数、クイズの回答などの情報を視認することもできる。
【００２９】
【実施例】
つぎに、本発明の紙容器について実施例をあげて、さらに具体的に説明する。
【００３０】
＜実施例１＞
実施例１については、まず、表面側からカップ原紙２５０ｇ／ｍ2／ポリエチレン樹脂２５μｍの積層体を使用して、開口部内径が８８．０ｍｍφ、底外径が６５．０ｍｍφ、高さが９０．０ｍｍの形状で、内容量が２１０．０ｃｃ（満注時）の紙カップ本体２０を作製した。
【００３１】
つぎに、表面側からポリエチレン樹脂２０μｍ／コートボール２７０ｇ／ｍ2／ポリエチレン樹脂２０μｍの積層体を使用して、上端部内径が８９．０ｍｍφの形状の筒状体１０を作製した。この筒状体１０の側壁１１に切り取り片１３Ａを設けた。この切り取り片１３Ａの形状は円形であり、繋ぎ部１６を随所に設けた切れ目線１４により設けた。また、この切り取り片１３Ａの裏面には、あらかじめ、くじの「当たり」「外れ」の印刷を行ない図６に示すような隠し絵付き断熱容器Ａを作製した。
【００３２】
実際に隠し絵付き断熱容器Ａを使用する時に、切り取り片１３Ａを切り取ることによって、切り取った切り取り片１３Ａの裏面に印刷された、くじの「当たり」「外れ」を視認することができた。
【００３３】
＜実施例２＞
実施例２については、まず、表面側からカップ原紙２８０ｇ／ｍ2／ポリエチレン樹脂２５μｍの積層体を使用して、開口部内径が１３５．０ｍｍφ、底外径が１１３．８ｍｍφ、高さが７２．１ｍｍの形状で、内容量が８０４．２ｃｃ（満注時）の紙カップ本体２０を作製した。
【００３４】
つぎに、表面側からポリエチレン樹脂２０μｍ／コートボール２７０ｇ／ｍ2／ポリエチレン樹脂２０μｍの積層体を使用して、上端部内径が１３５．０ｍｍφ、内向きカール部外径が１１９．４ｍｍφの形状の筒状体１０を作製した。この筒状体１０の側壁１１の対向する位置に一対の切り取り片１３Ｂ、１３Ｂを設けた。この切り取り片１３Ｂ、１３Ｂの形状は半円形であり、直線部を横方向の折れ線とし、下方に膨らむ円弧部を切れ目線とした。また、この切り取り片１３Ｂ、１３Ｂを折り返した時に、切り取った窓を通して視認できる紙カップ本体の胴部の側壁の位置に、くじの「当たり」「外れ」の印刷を行ない図７に示すような絵付き断熱容器Ｂを作製した。
【００３５】
実際に絵付き断熱容器Ｂを使用する時に、対向する一対の切り取り片１３Ｂ、１３Ｂを起こして、切り取り片１３Ｂ、１３Ｂを切り取った窓を通して、くじの「当たり」「外れ」を視認することができたと同時に、切り取り片１３Ｂ、１３Ｂを手で摘むことができ、９５°Ｃの熱湯を、５００ｃｃ注入し，３分後に切り取り片１３Ｂ、１３Ｂを両手で両側から持った場合、遙に持ち易く、安全に取り扱えることができた。
【００３６】
本発明による隠し絵付き断熱容器は、以上の実施の例の記載に限定されることなく、本発明の要旨を逸脱しない範囲内で種々の変形が可能である。例えば、紙カップ本体２０と筒状体１０との間の断熱空間の形成は、筒状体１０の内向きカールと水平リブ２４とによることに限定されることはなく、紙カップ本体２０の側壁２１と筒状体１０の側壁１１間に断熱部材を介在させる方法によってもよい。
【００３７】
【発明の効果】
本発明によれば、容器本体と筒状体からなる胴部を二重にした紙製の断熱容器において、筒状体の側壁に切り取り片あるいは折り返し片を設け、容器を使用した後に、その切り取り片をきりとること、あるいは折り返し片を折り返すことによって、切り取り片あるいは折り返し片の裏面、あるいは容器本体に隠し絵として印刷されたくじ、点数、クイズの回答などの情報を視認することができる隠し絵付き断熱性容器を提供することができる。
【００３８】
さらにまた、本発明による隠し絵付き断熱性容器は、材料にを紙を使用することにより、使用後は紙製品として廃棄され、また減容化が容易であるので廃棄処理性が良好であり、さらに、リサイクルも可能であるので、環境負荷の低減に貢献することができる。
【図面の簡単な説明】
【図１】本発明による隠し絵付き断熱容器の全体構造を説明する図である
【図２】本発明による隠し絵付き断熱容器の筒状体のブランクを示す展開図である。
【図３】図２のブランクにおける切り取り片の一例の拡大図である。
【図４】図２のブランクにおける切り取り片の他の例の拡大図である。
【図５】本発明による隠し絵付き断熱容器の使用時における状態を説明する斜視図である。
【図６】本発明による隠し絵付き断熱容器の一実施例を示す斜視図である。
【図７】本発明による隠し絵付き断熱容器の他の実施例を示す斜視図である。
【符号の説明】
１    隠し絵付き断熱容器
Ａ    隠し絵付き断熱容器（実施例１）
Ｂ    隠し絵付き断熱容器（実施例２）
１０    筒状体
１０Ａ  ブランク（筒状体）
１１    側壁
１２    内向きカール
１３    切り取り片
１３Ａ  切り取り片
１３Ｂ  切り取り片（一部折れ線）
１４    切れ目線
１５    折れ線
１６    繋ぎ部
１７    切り欠き
１８    小折れ部
１８ａ  小折れ線
２０    紙カップ本体
２０Ａ  ブランク（紙カップ本体）
２１    側壁
２２    底板
２３    外向きカール
２４    外方向に突出する水平リブ
２５    内方向に突出する水平リブ
Ｃ    内向きカール成形部
Ｌ    蓋材
Ｎ    胴貼り部
【図１】
0004043815.tif 000002
【図２】
0004043815.tif 000003
【図３】
0004043815.tif 000004
【図４】
0004043815.tif 000005
【図５】
0004043815.tif 000006
【図６】
0004043815.tif 000007
【図７】
0004043815.tif 000008